(57)【特許請求の範囲】
【請求項１】
所定の間隔をもって隔てられると共に、自立するそれぞれの索条支持部材に対して索条を架設し、この索条に柵本体を懸架して形成される防護柵であって、
前記柵本体は、所定の間隔をもって配設された複数の間伐材と、これら間伐材に跨って取付けられた網部材と、を備え、
地盤に固定される前記索条支持部材に対して、植生する立木の幹が遊貫している構成とされた、
ことを特徴とする防護柵。
【請求項２】
前記索条は、前記索条支持部材の上部及び下部にそれぞれ架設され、前記柵本体の上部及び下部を懸架するように構成された、請求項１記載の防護柵。
【請求項３】
前記間伐材には、これを挟み込んで支持可能な狭持部材が取付けられ、この狭持部材を前記索条が懸架する構成とされた、請求項１又は２記載の防護柵。
【請求項４】
前記索条支持部材は、立木の幹を遊貫させ、かつ前記索条と連結する係合部と、この係合部を支持すると共に、地盤に固定される支柱部と、を備えた構成とされた、請求項１乃至３のいずれか１項記載の防護柵。
【請求項５】
前記係合部は、前記柵本体を懸架する索条から受ける引張力に吊り合うように、地盤に貫入されたアンカー部材から引張力を受ける構成とされた、請求項４記載の防護柵。
【請求項６】
前記係合部は、両端にフランジを有する半割円筒体状の背板を一組備えており、
これら背板を連結して円筒体を形成し、この円筒体内に立木の幹が遊貫される構成とされ、
前記背板に形成された環状部に前記支柱部が貫通すると共に、前記環状部は締着部材を介して支柱部に係止される構成とされた、請求項４又は５記載の防護柵。
【発明の詳細な説明】
【技術分野】
【０００１】
本発明は、山岳部や急斜面などで発生する石、岩、表層土などの崩落を防止し、道路や鉄道などを落石等から保護するために使用される防護柵に関するものである。
【背景技術】
【０００２】
近年、森林保全や林業振興のために、間伐材の有効利用が要請されている。そして、この間伐材を利用したものとして、落石の緩衝材として間伐材を使用する落石防止柵が提案されている（例えば、特許文献１参照）。
【０００３】
従来例に係る落石防止柵は、傾斜地などにコンクリートを打設して基礎を構築し、この基礎に所定の間隔をあけてＨ形鋼からなる支柱を設け、これら隣接する支柱間にＨ形鋼からなる横架材を上下方向に間隔をあけて複数本架け渡して落石防護壁体を構成している。そして、この落石防護壁体に網籠を取付け、この網籠内に複数本の間伐材を挿入して落下防止柵を形成するものである。
【特許文献１】特開２００５−８３０６８号公報
【発明の開示】
【発明が解決しようとする課題】
【０００４】
しかしながら、上記従来例では、落下防止柵を取付ける落下防護壁体を構築するために、大規模な基礎工事を必要としており、施工コストの低減が図れなかった。また、支柱等として利用するＨ鋼の搬送が山岳部等では困難であった。
【０００５】
そこで、本発明の主たる課題は、間伐材を利用しながら、大規模な基礎工事や構造物を構築することなく、植生する周囲の立木を利用しつつ容易に土砂流出防止や落石防止対策を図ることができる防護柵を提供することにある。
【課題を解決するための手段】
【０００６】
上記課題を解決した本発明は、次のとおりである。
＜請求項１記載の発明＞
請求項１記載の発明は、所定の間隔をもって隔てられると共に、自立するそれぞれの索条支持部材に対して索条を架設し、この索条に柵本体を懸架して形成される防護柵であって、前記柵本体は、所定の間隔をもって配設された複数の間伐材と、これら間伐材に跨って取付けられた網部材と、を備え、地盤に固定される前記索条支持部材に対して、植生する立木の幹が遊貫している構成とされた、ことを特徴とする防護柵である。
【０００７】
（作用効果）
柵本体を懸架する索条が架設される索条支持部材が地盤に固定されており、かつこの索条支持部材に対して、植生する立木の幹が遊貫している構成とすることにより、平時では、索条支持部材は立木に接触しない、又は接触しても大きな外力がかからない状態であるが、上方向から落下した石や土砂が柵本体にぶつかったとき、その応力は索条支持部材を介して立木に伝達され、最終的に立木によって応力が吸収される。そのため、平時には、立木の成長の阻害といった立木への負担をかけることなく、石や土砂等の落下の際には、立木を効果的に利用して容易に土砂流出防止や落石防止対策を図ることができる。
また、柵本体に間伐材を利用することにより、施工が容易で施工コストを低減させ、かつ自然と調和した景観をもたらすことができる。
【０００８】
＜請求項２記載の発明＞
請求項２記載の発明は、前記索条は、前記索条支持部材の上部及び下部にそれぞれ架設され、前記柵本体の上部及び下部を懸架するように構成された、請求項１記載の防護柵である。
【０００９】
（作用効果）
索条は、索条支持部材の上部及び下部にそれぞれ架設され、柵本体の上部及び下部を懸架するように構成することにより、柵本体の一体性が高まる。
【００１０】
＜請求項３記載の発明＞
請求項３記載の発明は、前記間伐材には、これを挟み込んで支持可能な狭持部材が取付けられ、この狭持部材を前記索条が懸架する構成とされた、請求項１又は２記載の防護柵である。
【００１１】
（作用効果）
間伐材に対して、索条を貫通させるための貫通孔等を設ける必要がないので、施工手間が軽減されると共に、間伐材の耐朽性を向上させることができる。
【００１２】
＜請求項４記載の発明＞
請求項４記載の発明は、前記索条支持部材は、立木の幹を遊貫させ、かつ前記索条と連結する係合部と、この係合部を支持すると共に、地盤に固定される支柱部と、を備えた構成とされた、請求項１乃至３のいずれか１項記載の防護柵である。
【００１３】
（作用効果）
柵本体を懸架する索条が架設される係合部が支柱部により支持され、かつこの支柱部は地盤に固定されており、さらに、係合部に対して、植生する立木の幹が遊貫している構成とすることにより、平時では、係合部は立木に接触しない、又は接触しても大きな外力がかからない状態であるが、上方向から落下した石や土砂が柵本体にぶつかったとき、その応力は係合部を介して立木に伝達され、最終的に立木によって応力が吸収される。そのため、平時には、立木の成長の阻害といった立木への負担をかけることなく、石や土砂等の落下の際には、立木を効果的に利用して容易に土砂流出防止や落石防止対策を図ることができる。
【００１４】
＜請求項５記載の発明＞
請求項５記載の発明は、前記係合部は、前記柵本体を懸架する索条から受ける引張力に吊り合うように、地盤に貫入されたアンカー部材から引張力を受ける構成とされた、請求項４記載の防護柵である。
【００１５】
（作用効果）
係合部は、柵本体を懸架する索条から受ける引張力に吊り合うように、地盤に貫入されたアンカー部材から引張力を受ける構成とすることにより、係合部は立木に接触しない、又は接触しても大きな外力がかからない状態を維持しやすくなる。また、アンカー部材から引張力を受けていることにより、上方向から落下した石や土砂が柵本体にぶつかったときには、地盤も応力を吸収するので、防護柵の耐久性も向上する。
【００１６】
＜請求項６記載の発明＞
請求項６記載の発明は、前記係合部は、両端にフランジを有する半割円筒体状の背板を一組備えており、これら背板を連結して円筒体を形成し、この円筒体内に立木の幹が遊貫される構成とされ、前記背板に形成された環状部に前記支柱部が貫通すると共に、前記環状部は締着部材を介して支柱部に係止される構成とされた、請求項４又は５記載の防護柵である。
【００１７】
（作用効果）
係合部は、両端にフランジを有する半割円筒体状の一組の背板であり、これら背板を連結して円筒体を形成し、この円筒体内に立木の幹が遊貫される構成であることにより、立木への係合作業が容易化される。また、背板に形成された環状部に支柱部が貫通すると共に、環状部は締着部材を介して支柱部に係止される構成であることにより、係合部の取付けが容易化されている。
【発明の効果】
【００１８】
本発明によれば、間伐材を利用しながら、大規模な基礎工事や構造物を構築することなく、植生する周囲の立木を利用しつつ容易に土砂流出防止や落石防止対策を図ることができる等の利点がもたらされる。
【発明を実施するための最良の形態】
【００１９】
以下、図１乃至図４に基づき本発明の実施の形態を説明する。なお、図１は本発明に係る防護柵を用いた落石等を堰き止める状況を説明するための概観図であり、図２は防護柵の概観図であり、図３はその平面図であり、図４は狭持部材の斜視図である。
本発明に係る防護柵１は、図１に示すように、所定の間隔をもって隔てられると共に、自立するそれぞれの索条支持部材２，２に対して索条４，４を架設し、この索条４，４に柵本体３を懸架して形成されるものである。具体的には、所定の間隔をもって離間して植生する立木Ｗ，Ｗの幹が、索条支持部材２，２を遊貫するように、この索条支持部材２，２を地盤に固定し、そして索条４，４を架設して、所定の間隔をもって配設された複数の間伐材３Ａ，３Ａ，…と、これら間伐材３Ａ，３Ａ，…に跨って取付けられた網部材３Ｂとを備えた柵本体３を懸架するものである。
【００２０】
索条支持部材２は、立木Ｗの幹を遊貫させ、かつ索条４，５と連結する係合部２Ａと、この係合部２Ａを支持すると共に、地盤に固定される支柱部２Ｂと、を備えている。
このうち、係合部２Ａは、図２及び図３に示すように、両端にフランジ２１ａ，２１ｂが形成された半割円筒体状の背板２０を一組備えており、それぞれのフランジ２１ａ，２１ｂを相互に当接すると共にボルトとナット等の締着具２２によって締着し、これら背板２０，２０を連結して円筒体を形成し、この円筒体内に立木Ｗの幹が遊貫される構成となっている。係合部２Ａは、立木Ｗの幹と直接的に接することがないように、立木Ｗの幹よりも円筒体の径が大きくなるように予め設定されており、所定の間隔を持って立木Ｗを包囲するようになっている。このように、立木Ｗは係合部２Ａを遊貫しているため、係合部２Ａが立木Ｗの成長を阻害することはない。
【００２１】
係合部２Ａのフランジ２１ａ，２１ｂには、図２に示すように、上下に３つの孔が形成されており、ボルトとナット等の締着具２２は、上端部と下端部の２つの孔に取付けられるようになっている。中央部の孔は、図２に示すように、ワイヤやロープ等の索条４，５を取付けるための取付孔になっている。背板２０の両端に取付けられたフランジ２１ａ，２１ｂのうち、一方のフランジ２１ａには複数の間伐材３Ａ，３Ａ，…を懸架する索条４が連結されており、他方のフランジ２１ｂは、柵本体３を懸架する索条４から受ける引張力に吊り合う力（反力）を受けるために、地面に貫入したロックボルト等のアンカー部材６に取付けられた索条５が連結されるようになっている。また、アンカー部材６から引張力を受けていることにより、法頭方向から落下した石や土砂が柵本体３にぶつかったときには、地盤も応力を吸収するので、防護柵１の耐久性も向上する。
【００２２】
索条４は、係合部２Ａ，２Ａのフランジ２１ａ，２１ａにそれぞれ連結されているが、少なくともどちらか一方の立木に取付けられた係合部２Ａには、図２に示すように、索条４の張力を調整するためのターンバックル７を介して索条４が取付けられている。索条４と索条５は、材質として例えば、ワイヤやロープ等を用いることができ、両者を同一材質としてもよい。
【００２３】
背板２０の外周の中央部分には、図２及び図３に示すように、環状部２３が形成されており、支柱部２Ｂがこの環状部２３を貫通可能となっている。そして、この環状部２３はナット２４等の締着部材を介して、支柱部２Ｂに係止される構成となっており、係合部２Ａの取付けが容易化されている。
【００２４】
支柱部２Ｂは、ナット２４等の締着部材を螺着可能な棒状部材であり、例えば、ネジ状の異形鉄筋であるネジテッコン等を用いることができる。この支柱部２Ｂは、地盤内に固定されて自立している。また、立木Ｗの根茎の生育などの障害にならないように、支柱部２Ｂを地盤上に設置して自立させてもよく、このとき、支柱部２Ｂの下端部にプレートなどの脚等を取付けることが好適である。そして、ナット２４を螺着可能としていることにより、このナット２４の上に前述した環状部２３を係止させ落下を防止し、係合部２Ａを支持することができるようになっている。
【００２５】
本実施の形態における係合部２Ａは、図１及び図２に示すように、間伐材３Ａ，３Ａ，…の側面の上部と下部の２箇所に索条４，４が挿通されることから、間伐材３Ａ，３Ａ，…の上部と下部に対向するように、１本の立木に対して２箇所取付けられている。このように、取付けられる索条４の本数に応じて設置する係合部２Ａの数を決めればよい。
【００２６】
上述したように、係合部２Ａは、植生する立木Ｗの幹が遊貫している状態であるため、第１に、支柱部２Ｂによって落下しないように支持され、第２に、所定の間隔をもって離間して対向するように取付られた他方の係合部２Ａの引張力、及び地面に貫入したロックボルト等のアンカー部材６の引張力によって支持されている。このように、係合部２Ａは、平時には、立木Ｗに接触しない、又は接触しても大きな外力がかからない状態である。しかし、法頭方向から落下した石や土砂が柵本体３にぶつかったとき、係合部２Ａは立木Ｗの幹に接触等により係合するため、その応力は係合部２Ａを介して立木Ｗに伝達され、最終的に立木Ｗによって応力が吸収されるようになっている。このような構成によって、平時は、立木の成長が阻害される等の立木への負担をかけることがないが、石や土砂等の落下の際には、立木を効果的に利用して容易に土砂流出防止や落石防止対策を図ることができる。
【００２７】
この係合部２Ａの取付けの際には、まず、係合部２Ａの背板２０を連結して形成された円筒体が立木Ｗと接触しないようにセンタリングした位置に支柱部２Ｂを地盤に固定し、柵本体３を起立させるのに適切な高さ位置で支柱部２Ｂにナット２４を羅着する。そして、支柱部２Ｂに環状部２３を貫通させ、ナット２４上に係合部２Ａを係止させ、索条支持部材２を構築する。この状態で索条４を連結すると共に、アンカー部材６の地面への貫入に前後して索条５を連結すればよい。
【００２８】
柵本体３は、石や土砂等の落下を緩衝又は堰き止めるように、所定の間隔をもって配設された複数の間伐材３Ａ，３Ａ，…と、これら間伐材３Ａ，３Ａ，…に跨って取付けられた網部材３Ｂと、を備えている。予め所定長に切断された間伐材３Ａを柵本体３の柱として用い、そして、この間伐材３Ａの側面の上部と下部に貫通孔３０，３０を穿設しておき、これらの貫通孔３０，３０に索条４，４を挿通させ各間伐材３Ａ，３Ａ，…相互を連結しておく。この柵本体３は、索条４に懸架されることにより支持されて起立するようになっている。
【００２９】
なお、柵本体３を安定させ、石等の落下を堰き止めしやすくするため、間伐材３Ａの下端部を地盤に固定してもよい。また、これに限られず、間伐材３Ａの下端部を地盤上に設置してそのまま自立させてもよい。本実施の形態では、間伐材３Ａ，３Ａ，…相互の一体性を高める観点から、索条は間伐材３Ａの側面の上部と下部の２箇所に挿通される構成となっているが、これに限らず、間伐材３Ａの側面の１箇所以上に挿通されていればよい。なお、間伐材３Ａには防腐処理加工がなされていることが好ましい。
【００３０】
網部材３Ｂはメタルラスやパンチングメタル、その他の公知の金網等を用いることができ、この網部材３Ｂは間伐材３Ａに対して止め金などのステープルやインシュロック、紐等で固定されている。網部材３Ｂは、配設された間伐材３Ａの少なくとも法頭側に取付けられていればよいが、法尻側にも取付けてよい。
【００３１】
間伐材３Ａを支持するために貫通孔３０を形成することに換えて、図４に示すように、間伐材３Ａの側面を挟み込み、これを支持する狭持部材８を用いることもできる。狭持部材８としては様々な形態を考えることができるが、図４に示す形態は、プレート８Ａと、このプレート８Ａと一体となって間伐材３Ａを挟み込むＵボルト８Ｂと、プレート８Ａに取付けられ、かつ索条４を貫通可能なＵボルト８Ｃ、８Ｃと、を備えている。
【００３２】
プレート８Ａには、貫通孔８０，８０が形成されており、これら貫通孔８０，８０にＵボルト８Ｂを貫通させ、ボルトとナット等の締着具８Ｄ、８Ｄによってプレート８ＡとＵボルト８Ｂとを固定することができる。貫通孔８０は、間伐材３Ａの太さによって様々な大きさのＵボルトを固定できるように形成されている。また、プレート８Ａには、索条４を貫通可能にするＵボルトが取付けられており、これによって間伐材３Ａが索条４によって懸架されるようになっている。このプレート８Ａの表面に網部材３Ｂをネジ等により固定してもよい。なお、プレート８Ａは平板であっても、間伐材３Ａを狭持しやすいように曲板であってもよい。また、Ｕボルト８Ｂには、間伐材３Ａに当接する部分に背板８１を取付けてもよい。
【００３３】
このように、間伐材に対して貫通孔等を設ける必要がないので、施工手間が軽減されると共に、間伐材の耐朽性を向上させることができる。
【図面の簡単な説明】
【００３４】
【図１】本発明に係る防護柵を用いた落石等を堰き止める状況を説明するための概観図である。
【図２】防護柵の概観図である。
【図３】その平面図である。
【図４】狭持部材の斜視図である。
【符号の説明】
【００３５】
１…防護柵、２…索条支持部材、２Ａ…係合部、２Ｂ…支柱部、３…柵本体、３Ａ…間伐材、３Ｂ…網部材、４…索条、５…索条、６…アンカー部材、７…ターンバックル、８…狭持部材、８Ａ…プレート、８Ｂ…Ｕボルト、８Ｃ…Ｕボルト、２０…背板、２１ａ，２１ｂ…フランジ２２、２２…締着具、２３…環状部、２４…ナット、３０…貫通孔、８０…貫通孔、８１…背板、Ｗ…立木。
【図１】
0004587389.tif 000002
【図２】
0004587389.tif 000003
【図３】
0004587389.tif 000004
【図４】
0004587389.tif 000005